【事件の表示】
　平成　７年特許願第１７０２８１号「モータの制御回路」拒絶査定に対する審判事件［平成　８年１２月２４日出願公開、特開平　８−３４０６８８］について、次のとおり審決する。
【結　論】
　本件審判の請求は、成り立たない。
【理　由】
 １．手続の経緯・本願発明
　本願は、平成７年６月１３日の出願であって、その請求項１ないし２に係る発明は、平成１３年４月２７日付け及び平成１５年２月４日付け手続補正によって補正された明細書及び図面の記載からみてその特許請求の範囲の請求項１ないし２に記載された事項により特定されるとおりのものと認められるところ請求項１に係る発明は次のとおりである。
 「【請求項１】　基準クロック信号と、モータの回転数を切り替えるための指令信号と、モータの始動／停止を制御するモータオン／オフ信号とに基づいたモータ駆動用インターフェイス信号を含む複数のインターフェイス信号を出力する制御部と、
　前記制御部からの複数のインターフェイス信号が複数のインターフェイス信号線を介して入力され当該インターフェイス信号に基づいた駆動信号を出力するモータ駆動部と、
　前記駆動信号に基づいて制御されるフロッピーディスク駆動用スピンドルモータとを備えたモータの制御回路であって、
　前記制御部内において、前記基準クロック信号と前記指令信号とを分周回路に入力して、指令回転数に応じた周期をもつクロックパルスを前記分周回路から出力すると共に、
　前記制御部内において、前記クロックパルスと前記モータオン／オフ信号とをゲート回路に入力して、モータオン信号が入力されている時は前記ゲート回路から前記クロックパルスを、モータオフ信号が入力されている時は前記クロックパルスの状態にかかわらずモータを停止状態とする信号を、前記モータ駆動用インターフェイス信号として生成し、該モータ駆動用インターフェイス信号を、前記ゲート回路から前記複数のインターフェイス信号線のうちの１本のインターフェイス信号線を介して、前記モータ駆動部に出力することを特徴とするモータの制御回路。」
 ２．引用例
　これに対して、当審における平成１４年１１月２０日付けで通知した拒絶理由に引用した本願の出願日前の平成３年１１月１２日に頒布された「特開平３−２５３２８４号公報」（以下、引用例という。）には、以下の記載がある。
（１）「第１図は、回転偏向器３４（第３図）の回転制御装置６０の一例を示すブロック図である。
　この回転制御装置６０は、画素密度Ｄ（ｄｐｉ）あるいは感光体線速度Ｖ（ｍｍ／ｓ）に応じた周波数ｆｒ（Ｈｚ）の基準クロックを発生する基準クロック発生装置６１と、その基準クロック周波数ｆｒに応じて回転偏向器３４のスキャナモータ８の回転数Ｒ（ｒｐｍ）を制御するＰＬＬ回路６２とから構成されている。」（５頁右上欄１１行から１９行）
（２）「　基準クロック発生装置６１は、基準クロック周波数ｆｒより充分高く安定した一定の周波数ｆｏの基本クロックを出力する基本クロック発振器６４と、その基本クロックを入力し１／ｎに分周して基準クロックを出力する例えばプログラマブル分周器からなる１／ｎ分周器６５と、エンジンドライバ５０のＣＰＵ５１から入力する分周比ｎをラッチするラッチ回路６６と、そのラッチされたｎのデータを変換して１／ｎ分周器６５の分周比をセットするデコーダ６７と、スキャナモータ８の起動／停止を指令するスタート／ストップ信号に応じて基準クロックをオン／オフするスイッチング手段であるスイッチ回路６８とから構成されている。」（５頁右上欄２０行から左下欄１３行）
（３）「スキャナモータ８の起動／停止はスイッチング手段が、基準クロック発生装置６１からＰＬＬ回路６２に基準クロックを出力するか否かによって行なわれ、この実施例ではスイッチ回路６８がＣＰＵ５１から入力するスタート／ストップ信号に応じて基準クロックをオン／オフする。」（７頁右下欄１０行から１５行）
（４）「したがって、スキャナモータ８はスイッチ回路６８がオンになってＰＬＬ回路６２が基準クロックが入力すれば起動して定速回転を維持し、スイッチ回路６８がオフになって基準クロックが入力しなければ停止する。」（７頁右下欄２０行から８頁左上欄４行）
（５）「このようにすれば、他の制御回路から離れてスキャナモータ８の近傍に配置されたＰＬＬ回路５２に独立したスタート／ストップ信号ラインを接続する必要がなく、・・・書き込みユニット１２が交換可能なプリンタの場合は接続するライン数がそれだけ少なくて済む。」（８頁左上欄９行から１６行）　なお、この記載から、前記制御回路から複数の信号が出力されていること及び該制御回路とＰＬＬ回路間を「複数の信号ライン」で接続されていることが明かである。
以上の点を考慮すると引用例には、
  「基本クロック信号ｆｏと、ＣＰＵ（５１）から設定される分周比ｎと、スキャナモータのスタート／ストップ信号とに基づいてオン／オフされる基準クロックｆｒを含む複数の信号を出力する基準クロック発生装置（６１）と、
　該基準クロック発生装置からの複数の信号が複数の信号線を介して入力されてモータ駆動信号を出力するＰＬＬ回路（６２）と、
　前記モータ駆動信号に基づいて制御されるモータ（８）とを備えたスキャナモータの制御回路であって、前記基準クロック発生装置内において、前記基本クロック信号と前記ＣＰＵから指令される分周比ｎとを分周器（６５）に入力して、基準クロック信号（ｆｒ）を前記分周器から出力すると共に、
　前記基準クロック発生装置内において、前記スキャナモータのスタート／ストップ信号に応じて前記基準クロック信号をオン／オフするスイッチ回路（６８）とを設け、該スタート／ストップ信号とに基づいてオン／オフされる基準クロックを含む複数の信号を前記ＰＬＬ回路に出力することを特徴とするスキャナモータの制御回路。」の発明（以下、引用発明という。）が記載されているものと認められる。
　
　３．対比
  本願発明と引用発明を対比すると、引用発明の「基本クロック信号」は本願発明の「基準クロック」に相当し、以下同様に「基準クロック信号」は「指令回転数に応じた周期をもつクロックパルス」に、「スタート／ストップ信号」は「モータオン／オフ信号」に、「分周比ｎ」は「モータの回転数を切り替えるための指令信号」に、「分周器」は「分周回路」に、「スイッチ回路」は「ゲート回路」に、「基本クロック発生装置」は「制御回路」に、「ＰＬＬ回路」は「モータ駆動部」にそれぞれ相当する。
　また、引用発明において、明記されていないものの回路間を接続する信号をインターフェース信号として用いることは自明のことであるから、引用発明の「複数の信号」は本願発明の「複数のインターフェース信号」に、「複数の信号線」は「複数のインターフェース信号線」にそれぞれ相当し、
　かつ、引用発明の「オン／オフされる基準クロック信号ｆｒ」は、スタート信号をスイッチ回路に与えると基準クロックが出力され、ストップ信号を与えると、基準クロックの状態にかかわらずに基準クロックの無い即ちモータを停止する状態を指令する信号になるから、本願発明の「モータ駆動用インターフェイス信号」に相当し、さらに、引用発明における「スキャナモータのスタート／ストップ信号に応じて前記基準クロックをオン／オフするスイッチ回路とを設け、該スタート／ストップ信号とに基づいてオン／オフされる基準クロックを含む複数の信号を前記ＰＬＬ回路に出力すること」は、本願発明の「クロックパルスと前記モータオン／オフ信号とをゲート回路に入力して、モータオン信号が入力されている時は前記ゲート回路から前記クロックパルスを、モータオフ信号が入力されている時は前記クロックパルスの状態にかかわらずモータを停止状態とする信号を、前記モータ駆動用インターフェイス信号として生成し、該モータ駆動用インターフェイス信号を、前記ゲート回路から前記複数のインターフェイス信号線のうちの１本のインターフェイス信号線を介して、前記モータ駆動部に出力すること」に相当するものと認められるから、
　両者は、「基準クロック信号と、モータの回転数を切り替えるための指令信号と、モータの始動／停止を制御するモータオン／オフ信号とに基づいたモータ駆動用インターフェイス信号を含む複数のインターフェイス信号を出力する制御部と、
　前記制御部からの複数のインターフェイス信号が複数のインターフェイス信号線を介して入力され当該インターフェイス信号に基づいた駆動信号を出力するモータ駆動部と、
　前記駆動信号に基づいて制御されるモータとを備えたモータの制御回路であって、
　前記制御部内において、前記基準クロック信号と前記指令信号とを分周回路に入力して、指令回転数に応じた周期をもつクロックパルスを前記分周回路から出力すると共に、
　前記制御部内において、前記クロックパルスと前記モータオン／オフ信号とをゲート回路に入力して、モータオン信号が入力されている時は前記ゲート回路から前記クロックパルスを、モータオフ信号が入力されている時は前記クロックパルスの状態にかかわらずモータを停止状態とする信号を、前記モータ駆動用インターフェイス信号として生成し、該モータ駆動用インターフェイス信号を、前記ゲート回路から前記複数のインターフェイス信号線のうちの１本のインターフェイス信号線を介して、前記モータ駆動部に出力することを特徴とするモータの制御回路。」で一致し、
モータとして本願発明が「フロッピーディスク駆動用スピンドルモータ」と規定しているのに対し、引用発明が「スキャナモータ」と規定している点で相違する。
　
　４．当審の判断
  上記相違点について検討する。
　 フロッピーディスクのスピンドル駆動用モータも、引用例に記載の様な所望の画質やプリント速度に応じて回転速度の切換が必要なスキャナモータも、モータ回転数の基準となる発振器を用い、かつ所定の回転数に切り替えて運転する必要のあるモータとして、共通の技術分野に属していると言えるから、引用発明をフロッピーディスク駆動用スピンドルモータ用として転用することに格別の困難性を認められない。
　そして、得られる効果も引用発明から当然予測し得る程度のことにすぎない。
　なお、請求人は平成１５年２月４日付け意見書（４頁２１行から２７行）において、「また、引用例においては、信号の処理に関してスキャナモータの起動／停止は、スイッチング手段が基準クロック発生装置からＰＬＬ回路に基準クロックを出力するか否かによって行われる旨の記載があるが、この基準クロックの周波数はＦＧ信号との間で位相差が検出されて、その差信号がモータドライバに入力されるのであり、本願発明における「クロックパルスの状態にかかわらずモータを停止状態とする信号」とは異なっており、信号の処理についても本願発明とは相違している。」と主張している。
　しかしながら、引用発明と本願発明の構成の対比は前記「３．」において記したとおりであり、引用例に記載の基準クロックとＦＧ信号とで信号処理する点は、ＰＬＬ回路内部の具体的技術であって、本願発明と対比する発明として認定した引用発明の構成とは関係無いことは明らかであり、請求人の上記主張は失当である。
　５．むすび
　 したがって、本願発明は、引用例に記載された発明に基いて当業者が容
易に発明をすることができたものであるので、特許法第２９条第２項の規定により特許を受けることができない。
　よって、結論のとおり審決する。